(57)【要約】【課題】カバーをスライドさせるための構造を簡易にして、部品点数を削減する。【解決手段】カバー（２）を筐体（１）に接近する方向に付勢する弾性体（４）と、弾性体（４）に対してカバー（２）を取付ける取付部（３）と、を備え、取付部（３）および弾性体（４）と筐体（１）との間に溝（５）が形成されている。【選択図】図７
2018148139.tif 000002
【特許請求の範囲】
【請求項１】
電子機器の筐体であって、
上記筐体に対してスライド可能なカバーを、上記筐体に接近する方向に付勢する弾性体と、
上記弾性体に対してスライド可能に上記カバーを取付ける取付部と、を備え、
上記取付部および上記弾性体と、上記筐体との間に溝が形成されていることを特徴とする筐体。
【請求項２】
上記カバーのスライド前後の状態において、上記溝が上記カバーによって覆われていることを特徴とする請求項１に記載の筐体。
【請求項３】
上記筐体における、上記カバーをスライドさせる際に上記カバーと接触する接触部は、上記カバーのスライドによる上記カバーおよび上記接触部の少なくとも一方の損傷を低減するための保護部材で構成されていることを特徴とする請求項１または２に記載の筐体。
【請求項４】
上記カバーの背面には、上記カバーの中央に向けて凸となる第１突出部および第２突出部が設けられており、
上記筐体における上記カバーの背面と対向する面には、上記カバーをスライドさせる前の状態において上記第１突出部が引っ掛かり、上記カバーをスライドさせた後の状態において上記第２突出部が引っ掛かる被係止部が設けられていることを特徴とする請求項１から３のいずれか１項に記載の筐体。
【請求項５】
請求項１から４のいずれか１項に記載の筐体を備えている電子機器。
【発明の詳細な説明】
【技術分野】
【０００１】
本発明は、筐体および該筐体を備えた電子機器に関する。
【背景技術】
【０００２】
従来から、デジタルカメラ等の電子機器には、該電子機器に設けられたカメラレンズの損傷防止、および塵や指紋の付着等による汚れ防止、ならびに電子機器の外観を向上させる目的で、カメラレンズを覆うためのカバーが電子機器に設けられている。
【０００３】
例えば、特許文献１には、カメラの撮影レンズ等を覆うことのできるフルフラットバリアにおいて、カメラ本体に対し、フィルム面に平行にスライド可能であるとともにフィルム面に対して垂直方向にも移動可能であるフルフラットバリアが開示されている。具体的には、上記スライドおよび上記垂直方向への移動を実現するために、フルフラットバリアを保持するバリア保持機構が光軸方向に移動可能となっている。
【先行技術文献】
【特許文献】
【０００４】
【特許文献１】特開平９−１８５１０２号公報（１９９７年７月１５日公開）
【発明の概要】
【発明が解決しようとする課題】
【０００５】
しかしながら、バリア保持機構は、バリア保持レバー、軸、金具およびばねで構成されており、部品点数が多くその構造も複雑になる。それゆえ、製造が困難になるという問題点があった。
【０００６】
本発明の一態様は上記の問題点に鑑みてなされたものであり、その目的は、電子機器に設けられるカバーをスライドさせるための構造を簡易にして、部品点数を削減することにある。
【課題を解決するための手段】
【０００７】
上記の課題を解決するために、本発明の一態様に係る筐体は、電子機器の筐体であって、上記筐体に対してスライド可能なカバーを、上記筐体に接近する方向に付勢する弾性体と、上記弾性体に対してスライド可能に上記カバーを取付ける取付部と、を備え、上記取付部および上記弾性体と、上記筐体との間に溝が形成されている。
【発明の効果】
【０００８】
本発明の一態様によれば、電子機器に設けられるカバーをスライドさせるための構造が簡易になり、部品点数を削減することができる。
【図面の簡単な説明】
【０００９】
【図１】（ａ）は、カバーをスライドさせる前の状態における、本発明の実施形態１に係るスマートフォンの概略構成を示す斜視図である。（ｂ）は、（ａ）に示すスマートフォンの概略構成を示す側面図である。
【図２】（ａ）は、カバーをスライドさせた後の状態における、上記スマートフォンの概略構成を示す斜視図である。（ｂ）は、（ａ）に示すスマートフォンの概略構成を示す側面図である。
【図３】上記スマートフォンを構成する筐体、カバーおよびレールユニットの概略構成を示す斜視図である。
【図４】上記レールユニットの可動部の動作態様を示す斜視図である。
【図５】カバーをスライドさせる前の状態における、上記スマートフォンのカバー付近の概略構成を示す平面図である。
【図６】本発明の実施形態１に係る弾性変形部の変形例の概略構成を示す平面図である。
【図７】上記スマートフォンの概略構成を示す断面図であって、（ａ）はカバーをスライドさせる前の状態、（ｂ）はカバーがスライド中の状態、（ｃ）はカバーをスライドさせた後の状態をそれぞれ示す。
【図８】（ａ）は、本発明の実施形態２に係るスマートフォンにおける、カバーの第１端部付近の構造を示す断面図である。（ｂ）は、（ａ）に示すカバーの第１端部付近の構造の変形例を示す断面図である。
【図９】（ａ）は、カバーをスライドさせる前の状態における、本発明の実施形態３に係るスマートフォンのカバー付近の概略構成を示す平面図である。（ｂ）は、上記スマートフォンの主要部の概略構成を示す断面図である。
【図１０】本発明の実施形態３に係るシートの変形例の概略構成を示す平面図である。
【図１１】本発明の実施形態４に係るスマートフォンの概略構成を示す側面図であって、（ａ）はカバーをスライドさせる前の状態、（ｂ）はカバーをスライドさせた後の状態をそれぞれ示す。（ｃ）は、カバーをスライドさせる前の状態における、上記スマートフォンのカバー付近の概略構成を示す平面図である。
【発明を実施するための形態】
【００１０】
〔実施形態１〕
以下、本発明の実施の形態について、図１〜図７を参照しながら詳細に説明する。なお、本実施形態以下の各実施形態においては、本発明の一態様に係る筐体がスマートフォンに備えられている場合を例に挙げて説明する。しかしながら、本発明の一態様に係る筐体は、スマートフォンに限らず、例えばタブレット端末、デジタルカメラおよび携帯型ゲーム機をはじめとする様々な電子機器に適用することができる。
【００１１】
また、本実施形態以下の各実施形態においては、説明の便宜上、紙面向かって上側を上方、紙面向かって下側を下方とする。
【００１２】
＜スマートフォンの概要＞
まず、図１〜図６を参照して、スマートフォン１００の概要について説明する。図１の（ａ）は、カバー２をスライドさせる前の状態におけるスマートフォン１００の概略構成を示す斜視図である。図１の（ｂ）は、図１の（ａ）に示すスマートフォン１００の概略構成を示す側面図である。図２の（ａ）は、カバー２をスライドさせた後の状態におけるスマートフォン１００の概略構成を示す斜視図である。図２の（ｂ）は、図２の（ａ）に示すスマートフォン１００の概略構成を示す側面図である。
【００１３】
また、図３は、スマートフォン１００を構成する筐体１、カバー２およびレールユニット３の概略構成を示す斜視図である。図４は、レールユニット３の可動部３ｂの動作態様を示す斜視図である。図５は、カバー２をスライドさせる前の状態における、スマートフォン１００のカバー２付近の概略構成を示す平面図である。図６は、弾性変形部４の変形例の概略構成を示す平面図である。
【００１４】
スマートフォン１００（電子機器）は、パーソナルコンピュータ・ＰＤＡ（Personal Digital Assistant：携帯情報端末）等の機能を併せ持った多機能の携帯電話機である。また、スマートフォン１００にはカメラ部１０１が設けられているとともに（図２の（ａ）参照）、平面視で円形状のカメラレンズ１０１ａを覆うためのカバー２が、スマートフォン１００の筐体１に対してスライド可能に該筐体１に取付けられている。
【００１５】
図１の（ａ）および（ｂ）に示すように、カバー２をスライドさせる前の状態（以下、「基準状態」とする）において、カバー２の表面２ａが、筐体１におけるカメラ部１０１が設けられている側の表面（以下、「取付面１ａ」とする）と面一になる。すなわち、筐体１におけるカメラ部１０１の配置箇所近傍の領域は他の領域よりも筐体１の内部側に窪んでおり、カバー２の形状と同一形状の凹部となっている。基準状態では、カバー２がこの凹部に収まることで上述の面一になる。
【００１６】
また、カバー２における長手方向の２つの端部のうち、カバー２がスライドする側の第１端部２ｂの背面（筐体１と対向する側の面）は傾斜している。さらに、第１端部２ｂの背面と対向する筐体１の面も、該背面の傾斜に対応して傾斜している。これらの傾斜によって、カバー２をスムーズにスライドさせることができる。
【００１７】
なお、カバー２は、スマートフォン１００の外観が損われないように、基準状態において筐体１の取付面１ａから突出していないことが好ましい。換言すれば、図１の（ｂ）に示すように、基準状態において、対向面１ｂからカバー２の表面２ａまでの高さＨ１が、対向面１ｂから取付面１ａまでの高さＨ２以下となっていることが好ましい。ここで、「対向面１ｂ」とは、筐体１における、取付面１ａを有する壁と対向する壁の表面を指す。
【００１８】
基準状態からカバー２をスライドさせ、該スライドが完了すると、図２の（ａ）および（ｂ）に示すようにカバー２が筐体１の外部に向かって浮き上がり、筐体１の取付面１ａ上にカバー２の第１端部２ｂが乗り上がる。この状態において、カバー２の第２端部２ｃ（第１端部２ｂと反対側の長手方向の端部）は筐体１の凹部の取付面１ａに近接し、カバー２は、第２端部２ｃから第１端部２ｂに向けて筐体１の外部側に立ち上がるように傾斜する。また、カバー２のスライドが完了すると、図２の（ａ）に示すように、カメラ部１０１が露出する。なお、取付面１ａに耐摩耗性のある部品（不図示）が貼り付けられている場合は、当該部品に第２端部２ｃを当接させてもよい。
【００１９】
カバー２は、図３に示すように、レールユニット３（取付部）によって筐体１（具体的には、後述する弾性変形部４）に対してスライド可能に取付けられている。具体的には、レールユニット３は固定部３ａと可動部３ｂとを備えており、固定部３ａが筐体１における上記凹部の取付面１ａ上に固定される。そして、可動部３ｂをカバー２の背面に固定することにより、カバー２が筐体１に対してスライド可能に取付けられる。
【００２０】
固定部３ａの筐体１に対する固定手段として、本実施形態ではネジによる締付け固定を採用している。具体的には、筐体１の取付面１ａにおける固定部３ａの取付領域にボルト穴１ｃを２つ形成し、固定部３ａにも上記２つのボルト穴１ｃに対応する２つのボルト穴（不図示）を形成する。そして、固定部３ａを取付面１ａの取付領域上に載置し、これらのボルト穴にボルト（不図示）を貫通させてナット（不図示）で締め付けることにより、固定部３ａを筐体１に対して固定する。
【００２１】
なお、固定部３ａの筐体１に対する固定手段としては、ネジによる締付け固定の他、ボンドや両面テープによる接着固定等を例示することができる。また、可動部３ｂのカバー２に対する固定手段としても、ボンドや両面テープによる接着固定等を例示することができる。なお、これらの固定手段はあくまで一例であり、他にも様々な固定手段が考えられる。
【００２２】
図４に示すように、レールユニット３の固定部３ａおよび可動部３ｂは、ともに略板状の部材である。また、固定部３ａの短手方向の両端はコの字形状に折り曲げられており、これらの両端で可動部３ｂの短手方向の両端が挟み込まれることによって、可動部３ｂが固定部３ａに対してスライド可能となっている。可動部３ｂのスライド方向（図中の矢印参照）は、平面視においてカバー２のスライド方向と一致する。
【００２３】
さらに、レールユニット３はバネ（不図示）を備えており、スライド方向に作用する復元力がバネに生じる。この復元力によって、基準状態においては、カバー２の第１端部２ｂの背面が該背面と対向する筐体１の面を押圧する。したがって、カバー２の筐体１に対する位置が保持され、基準状態が維持される。
【００２４】
カバー２をスライドさせる場合、最初はユーザの指等でカバー２の表面２ａを押圧しつつ、カバー２をスライド方向に引っ張る。カバー２がスライドし始めると、可動部３ｂに作用しているバネの復元力によって、可動部３ｂとカバー２とが一体となってスライド方向に自走移動する。バネが元の形状に戻った時にカバー２のスライドが完了し、その状態が維持される。
【００２５】
なお、レールユニット３がバネを備えていることは必須ではなく、例えばレールユニット３がバネを備えておらず、カバー２のスライドがすべて手動で行われてもよい。また、カバー２を筐体１に対してスライド可能に取付けるための部材として、本実施形態のようにレールユニット３を用いる必要は必ずしもない。換言すれば、カバー２を筐体１に対してスライド可能に取付けることが可能な部材であれば、どのような部材を用いてもよい。
【００２６】
さらに、カバー２の摺動性（スライドのし易さ）の向上、ならびにスライドによるカバー２および筐体１の損傷の回避を図るべく、例えばカバー２の背面または筐体１の凹部の取付面１ａに耐摩耗性のある部品（不図示）を貼り付けてもよい。また例えば、カバー２またはレールユニット３の可動部３ｂにマグネット（不図示）を配置し、筐体１の凹部の取付面１ａにマグネットの磁気を感知する磁気センサを配置して、カバー２の状態を検知する機能を持たせてもよい。カバー２の状態とは、カバー２が（i）基準状態、（ii）スライド中の状態、または（iii）スライド完了の状態のいずれかを指す。
【００２７】
図５に示すように、筐体１の取付面１ａにおけるレールユニット３の固定位置は、平面視でカメラ部１０１の直下となる。換言すれば、レールユニット３は、平面視で筐体１の取付面１ａにおけるカメラ部１０１の配置位置よりもカバー２のスライド方向側に配置されるよう、筐体１に対して固定される。
【００２８】
筐体１におけるレールユニット３の固定領域に対応する固定部位は、例えばエンジニアプラスチックまたはスーパーエンジニアプラスチックなどの弾性を備えた材料で形成されており、筐体１のその他の部位と一体成形されている。併せて、レールユニット３の固定部３ａもこれらの材料で形成されている。また、固定部位の周囲には、筐体１の壁を貫通するＵ字形状の溝５が形成されている。
【００２９】
このように筐体１の固定部位に弾性に優れた材料が用いられること、および固定部位の周囲に溝５が形成されることにより、固定部位は、カバー２がスライドする際に筐体１から浮き上がり、カバー２を筐体１に接近する方向に付勢する弾性変形部４（弾性体）となる。弾性変形部４の形状は平面視で長方形状、かつ板状となっている。
【００３０】
ここで、溝５は、カバー２が基準状態およびスライドした後の状態のいずれの場合においても、カバー２によって完全に覆われるような位置に形成されている。具体的には、カバー２がスライドした後の状態において、溝５におけるＵ字形状の先端５ａが、平面視でカバー２の第２端部２ｃよりも下方に配置されるように溝５が形成されている。より詳細には、２つの上記先端５ａがカメラ部１０１の下端によりも下方、かつカメラ部１０１の下端に接する接線（図中の一点鎖線）と２つの上記先端５ａとが同一位置となるように、または若干離間するように、溝５が形成されている。
【００３１】
溝５を上述のように形成することで、カバー２をスライドさせる前後の状態において、スマートフォン１００の外観が損なわれないようにすることができる。また、弾性変形部４が浮き上がった場合に筐体１に埋め込まれたカメラレンズ１０１ａの下端付近の領域が一緒に浮き上がることを低減でき、弾性変形部４の浮き上がりに起因するカメラレンズ１０１ａの意図せぬ変位を低減することができる。
【００３２】
なお、本実施形態にて示した弾性変形部４の成形材料はあくまで一例であり、その他の樹脂材料や、弾性に優れた金属材料・ゴム等で弾性変形部４を形成してもよい。また、弾性変形部４と筐体１のその他の部位とが一体成形されている必要は必ずしもなく、弾性変形部４を筐体１と別体で成形し、最終的に両者を一体化してもよい。
【００３３】
さらに、本実施形態に係る弾性変形部４および溝５の形成態様はあくまで一例であり、その他の形成態様を採用してもよい。例えば、図６に示すように、筐体１の固定部位における２つのボルト穴１ｃの周囲にそれぞれＵ字形状の溝５ｂを形成することにより、２つの弾性変形部４ａを形成してもよい。この場合における弾性変形部４ａ・溝５ｂの形成箇所についても、上述の弾性変形部４・溝５の場合と同様の配慮がなされる。
【００３４】
換言すれば、カバー２をスライドさせた状態においてレールユニット３および弾性変形部４が筐体１から浮き上がるよう、レールユニット３および弾性変形部４と、筐体１との間に溝５が形成されていればよい。
【００３５】
＜カバーのスライドに伴うカバーの周辺部位の挙動＞
次に、図７を参照して、カバー２のスライドに伴う該カバー２の周辺部位の挙動について説明する。図７はスマートフォン１００の概略構成を示す断面図であって、（ａ）は基準状態（カバー２をスライドさせる前の状態）、（ｂ）はカバー２がスライド中の状態、（ｃ）はカバー２をスライドさせた後の状態をそれぞれ示す。
【００３６】
基準状態では、図７の（ａ）に示すように、カバー２は筐体１の凹部に収まっており、固定部３ａおよび可動部３ｂのそれぞれの表面、ならびに弾性変形部４の表面は、筐体１の取付面１ａおよびカバー２の表面２ａのそれぞれと平行になる。この場合、弾性変形部４は弾性変形していないことから、カバー２には、該カバー２を筐体１に接近する方向に付勢する力（以下、「付勢力」とする）は作用しない。
【００３７】
また、基準状態において、カバー２およびレールユニット３の可動部３ｂと筐体１における凹部の取付面１ａとの間には、空間が形成される。カバー２をスライドさせると、カバー２の第２端部２ｃが基準状態の位置から筐体１の内部側に変位する（図７の（ｂ）参照）。ここで、基準状態において上記空間が形成されない場合、あるいは上記空間の高さが低い場合、カバー２をスライドさせると可動部３ｂにおけるカメラ部１０１側の端部がカメラレンズ１０１ａの表面や凹部の取付面１ａに接触し、カメラレンズ１０１ａの表面等が傷ついてしまう。
【００３８】
そこで、カバー２のスライド時に上記カメラ部１０１側の端部とカメラレンズ１０１ａの表面等とが接触しない程度の高さの空間が形成されるように、筐体１の凹部の深さ、カバー２の厚さ、ならびにレールユニット３の固定部３ａおよび可動部３ｂの厚さが設定されている。
【００３９】
カバー２がスライド中の状態では、図７の（ｂ）に示すように、レールユニット３および弾性変形部４が筐体１の外部に向けて徐々に浮き上がっていき、スライドが進行するにつれて浮き上がりの角度が大きくなる。浮き上がりの角度とは、基準状態における弾性変形部４の表面の位置（基準位置）を０度とした場合の、カバー２のスライド中における弾性変形部４の表面と基準位置とでなす角度を指す。この浮き上がりによってカバー２も浮き上がり、カバー２の第１端部２ｂが筐体１の取付面１ａ上に乗り上がりつつ、カメラレンズ１０１ａが徐々に露出する。
【００４０】
弾性変形部４の浮き上がりが開始すると、弾性変形部４に付勢力が生じる。この付勢力によってカバー２が筐体１の接触面（取付面１ａにおけるカバー２と接触している領域）を押圧することから、スライド中の各時点においてカバー２の筐体１に対する位置が保持される。付勢力は、浮き上がりの角度が大きくなるほど大きくなる。
【００４１】
ここで、弾性変形部４における、側面視で溝５の先端５ａの形成位置に対応する根元部位の厚さは、弾性変形部４におけるその他の部位の厚さよりも厚くなっている。言い換えれば、弾性変形部４における根元部位とその他の部位との連結箇所には、段差４ｂが形成されている。
【００４２】
弾性変形部４の根元部位は該弾性変形部４の浮き上がりの支点となることから、上述のような段差４ｂを形成することで、支点がより限定されるとともに弾性変形部４の浮き上がりが容易になる。また、上述の段差４ｂは溝５の先端５ａと略同一の位置に形成されることから、弾性変形部４が浮き上がった場合でも筐体１に埋め込まれたカメラレンズ１０１ａの下端付近の領域がより浮き上がり難くなり、カメラレンズ１０１ａの意図せぬ変位をより効果的に低減することができる。
【００４３】
なお、上述の段差４ｂはあくまで一例であり、弾性変形部４の容易な浮き上がり、およびカメラレンズ１０１ａの意図せぬ変位の低減が実現されるのであれば、どのような構造を採用してもよい。例えば、弾性変形部４の根元部位の背面（筐体１内部の各種部品１ｄと対向する面）側に、側面視でＶ字形状またはＵ字形状の溝（不図示）を形成してもよい。
【００４４】
カバー２をスライドさせた後の状態では、図７の（ｃ）に示すように、カバー２の第１端部２ｂのすべてが筐体１の取付面１ａ上に乗り上がり、カメラレンズ１０１ａのすべてが露出する。この状態で浮き上がりの角度が最大になることから、弾性変形部４に生じる付勢力も最大となり、カバー２の筐体１に対する位置が十分に保持される。
【００４５】
ここで、カバー２をスライドさせた後の状態における浮き上がりの角度が、弾性変形部４が塑性変形してしまう角度以上にならないように、様々な配慮がなされている。具体的には、カバー２をスライドさせた後の状態におけるカバー２の筐体１に対する位置、カバー２の厚さおよび筐体１の凹部の深さなどについて、上述の配慮がなされている。例えば、カバー２の厚さ（特に、第１端部２ｂの厚さ）をなるべく薄くしており、筐体１の凹部の深さをなるべく浅くしている。
【００４６】
〔実施形態２〕
本発明の他の実施形態について、図８に基づいて説明すれば、以下のとおりである。なお、説明の便宜上、前記実施形態にて説明した部材と同じ機能を有する部材については、同じ符号を付記し、その説明を省略する。
【００４７】
＜カバーの第１端部付近の構造＞
図８を参照して、本実施形態に係るスマートフォン２００における、カバー２の第１端部２ｂ付近の構造について説明する。図８の（ａ）は、スマートフォン２００におけるカバー２の第１端部２ｂ付近の構造を示す断面図である。図８の（ｂ）は、上記カバー２の第１端部２ｂ付近の構造の変形例を示す断面図である。
【００４８】
図８の（ａ）に示すように、スマートフォン２００（電子機器）の筐体２０における、基準状態においてカバー２の第１端部２ｂの先端と接触する接触部は、筐体２０の短手方向に沿って延伸する保護部材２０ａで構成されている。筐体２０の接触部は、カバー２がスライドしている時にはカバー２の背面と接触することから、カバー２のスライドによる該カバー２および筐体２０の接触部の少なくとも一方の損傷を低減するために、接触部を保護部材２０ａで構成する。ここで、保護部材２０ａにおける第１端部２ｂの先端との接触面は、該先端の形状に対応した形状となっている。
【００４９】
保護部材２０ａの取付面２０ａ−１は、側面視で略Ｌ字形状となっている。また、筐体２０における保護部材２０ａが取付けられる部位には、保護部材２０ａの取付面２０ａ−１の形状および保護部材２０ａの大きさに対応する形状・大きさの凹部が形成されている。この凹部に保護部材２０ａを嵌め込むことによって保護部材２０ａが筐体２０に取付けられ、カバー２のスライド時におけるカバー２の背面との接触によっても保護部材２０ａは筐体２０から脱落しない。
【００５０】
なお、上述の保護部材２０ａの取付態様はあくまで一例であり、他の取付態様を採用してもよい。例えば、図８の（ｂ）に示すように、筐体２０における保護部材２０ｂが取付けられる部位に、筐体２０の短手方向に沿って延伸する突起１ｅを２つ設ける。一方、保護部材２０ｂの底部にも、該保護部材２０ｂの長手方向に沿って延伸する突起２０ｂ−１を２つ設ける。そして、保護部材２０ｂを筐体２０に取付ける際は、突起２０ｂ−１の一方を突起１ｅの一方に引っ掛け、突起２０ｂ−１の他方を突起１ｅの他方に引っ掛ける。
【００５１】
また、筐体２０と別体の支持部材２０ｃを設けて、保護部材２０ｂを筐体２０に取付けた状態において保護部材２０ｂが筐体２０の内部側から支持されるようにする。このような取付態様を採用しても、カバー２の背面と接触して保護部材２０ｂが筐体２０から脱落するような事態を回避することができる。
【００５２】
〔実施形態３〕
本発明の他の実施形態について、図９および図１０に基づいて説明すれば、以下のとおりである。なお、説明の便宜上、前記実施形態にて説明した部材と同じ機能を有する部材については、同じ符号を付記し、その説明を省略する。
【００５３】
＜カバー付近の構造＞
図９および図１０を参照して、本実施形態に係るスマートフォン３００における、カバー２付近の構造について説明する。図９の（ａ）は、カバー２をスライドさせる前の状態における、スマートフォン３００のカバー２付近の概略構成を示す平面図である。図９の（ｂ）は、スマートフォン３００の主要部の概略構成を示す断面図である。図１０は、シート３０ａの変形例の概略構成を示す平面図である。
【００５４】
スマートフォン３００（電子機器）は、図９の（ａ）および（ｂ）に示すように、筐体１における取付面１ａを有する壁の背面１ｆ（筐体１内部の各種部品１ｄ（図７の（ｂ）参照）と対向する面）に、薄いフィルム状のシート３０ａが貼り付けられている。
【００５５】
シート３０ａは、弾性変形部４および溝５を覆うことが可能な程度の大きさであり、平面視で、弾性変形部４の根元部位および溝５に沿った略長方形状となっている。このシート３０ａの表面に防水性の両面テープ（不図示）を貼り付け、弾性変形部４および溝５を筐体１の内部側から覆うようにして、シート３０ａを筐体１の背面１ｆに貼り付ける。シート３０ａの筐体１の背面１ｆへの固定には、上述の両面テープの他、シリコンゴムや接着剤等を用いてもよい。なお、防水性の両面テープについては、シート３０ａの外形に沿った枠形状となっており、弾性変形部４の動きを阻害しないようになっている。
【００５６】
シート３０ａは水を通さない特性を有している。したがって、液体や塵・埃、異物等が筐体１の外部から溝５を通じて筐体１の内部に浸入するのを防止することができる。
【００５７】
なお、シート３０ａの大きさ・形状は上述の場合に限定されず、液体等の筐体１の内部への浸入を防止できるのであれば、どのような大きさ・形状のシートを用いてもよい。例えば、図１０に示すような、弾性変形部４および溝５のみならずカメラ部１０１まで覆うことが可能な程度の大きさのシート３１ａを、シート３０ａに代えて筐体１の背面１ｆに貼り付けてもよい。薄いフィルム状であることや水を通さない特性を有している点は、シート３０ａと同様である。
【００５８】
シート３１ａは平面視で略長方形状であり、上側の長辺がカメラ部１０１の上端の直上に配置される程度の大きさとなっている。また、シート３１ａを筐体１の背面１ｆに貼り付けることによってカメラレンズ１０１ａとカメラ１０１ｂとの間がシート３１ａで遮られないよう、シート３１ａにおけるカメラ部１０１の配置箇所と対応する領域に、カメラレンズ１０１ａと同一の直径の貫通孔（不図示）が形成されている。
【００５９】
〔実施形態４〕
本発明の他の実施形態について、図１１に基づいて説明すれば、以下のとおりである。なお、説明の便宜上、前記実施形態にて説明した部材と同じ機能を有する部材については、同じ符号を付記し、その説明を省略する。
【００６０】
＜カバー付近の構造＞
図１１を参照して、本実施形態に係るスマートフォン４００における、カバー４２付近の構造について説明する。図１１は、スマートフォン４００の概略構成を示す側面図であって、（ａ）はカバー４２をスライドさせる前の状態、（ｂ）はカバー４２をスライドさせた後の状態をそれぞれ示す。図１１の（ｃ）は、カバーをスライドさせる前の状態における、スマートフォン４００のカバー４２付近の概略構成を示す平面図である。
【００６１】
スマートフォン４００（電子機器）は、図１１の（ａ）・（ｂ）・（ｃ）に示すように、筐体４０の凹部の取付面４０ａ（筐体におけるカバーの背面と対向する面）上に２つの被係止部４０ｂが設けられている。
【００６２】
図１１の（ａ）および（ｂ）に示すように、被係止部４０ｂは側面視でＴ字形状の部位である。また、図１１の（ｃ）に示すように、２つの被係止部４０ｂは平面視において、該２つの被係止部４０ｂで弾性変形部４を挟み込むように筐体１の短手方向に沿って直列的に配置されている。
【００６３】
図１１の（ａ）および（ｂ）に示すように、カバー４２の背面４２ｃには、該カバー４２の中央に向けて凸となる第１突出部４２ａおよび第２突出部４２ｂが設けられている。具体的には、第１・第２突出部４２ａ・４２ｂともにカバー４２の長手方向に沿って延伸しており、第２突出部４２ａは、側面視でカバー４２の中央よりもカメラ部１０１側に設けられている。一方、第１突出部４２ｂは、側面視でカバー４２の中央に対して第２突出部４２ａと反対側の位置に設けられている。
【００６４】
カバー４２をスライドさせる前の状態（基準状態）においては、図１１の（ａ）に示すように、被係止部４０ｂの第２突出部位４０ｂ−２に第１突出部４２ｂが引っ掛かる。一方、カバー４２をスライドさせた後の状態においては、図１１の（ｂ）に示すように、被係止部４０ｂの第１突出部位４０ｂ−１に第２突出部４２ａが引っ掛かる。
【００６５】
第１突出部位４０ｂ−１は、被係止部４０ｂにおけるカメラ部１０１側に向けて突出している部位であり、第２突出部位４０ｂ−２は、被係止部４０ｂにおける第１突出部位４０ｂ−１の突出方向と反対方向に突出している部位である。第１・第２突出部位４０ｂ−１・４０ｂ−２ともに、２つの被係止部４０ｂの配置方向に沿って延伸している。
【００６６】
このような第１・第２突出部４２ａ・４２ｂおよび被係止部４０ｂを設けることにより、カバー４２の過度なスライドによる弾性変形部４の浮き上がり過ぎを防止することができ、弾性変形部４の塑性変形を回避することができる。
【００６７】
〔まとめ〕
本発明の態様１に係る筐体（１、２０、４０）は、電子機器（スマートフォン１００、２００、３００、４００）の筐体であって、上記筐体に対してスライド可能なカバー（２、４２）を、上記筐体に接近する方向に付勢する弾性体（弾性変形部４、４ａ）と、上記弾性体に対してスライド可能に上記カバーを取付ける取付部（レールユニット３）と、を備え、上記取付部および上記弾性体と、上記筐体との間に溝（５、５ｂ）が形成されている。
【００６８】
上記構成によれば、取付部および弾性体と、筐体との間に溝が形成されていることにより、カバーをスライドさせた状態において弾性体および取付部が電子機器の筐体から浮き上がる。したがって、例えば、カバーをスライドされる前の状態において、カバーの表面が筐体の表面と面一になっている、あるいはカバーの表面が筐体の表面よりも窪んでいる場合でも、カバーをスライドさせる際に該カバーの端部が筐体に引っ掛からない。
【００６９】
すなわち、カバーが浮き上がって該カバーの背面と筐体の表面の一部とが接触しつつ、カバーがスライドする。それゆえ、弾性体および取付部のみによってカバーのスライドが可能となることから、カバーをスライドさせるための構造が簡易になり、部品点数を削減することができる。
【００７０】
本発明の態様２に係る筐体は、上記態様１において、上記カバーのスライド前後の状態において、上記溝が上記カバーによって覆われていてもよい。
【００７１】
上記構成によれば、カバーがスライドした状態か否かに拘らず、ユーザおよび第三者は電子機器の外観を見ても溝を視認することができない。それゆえ、本発明の一態様に係る筐体を用いることにより、部品点数を削減できるとともに外観を損なわない電子機器を実現することができる。
【００７２】
本発明の態様３に係る筐体（２０）は、上記態様１または２において、上記筐体における、上記カバーをスライドさせる際に上記カバーと接触する接触部は、上記カバーのスライドによる上記カバーおよび上記接触部の少なくとも一方の損傷を低減するための保護部材（２０ａ、２０ｂ）で構成されていてもよい。
【００７３】
上記構成によれば、筐体における、カバーのスライドに際して該カバーと接触する接触部は保護部材で構成されていることから、カバーをスライドさせても該カバーおよび接触部の少なくとも一方の損傷を低減することができる。それゆえ、本発明の一態様に係る筐体を用いることにより、部品点数を削減できるとともに、長期間の使用によっても接触部付近の外観を損なわない電子機器を実現することができる。
【００７４】
本発明の態様４に係る筐体（４０）は、上記態様１から３のいずれかにおいて、上記カバー（４２）の背面（４２ｃ）には、上記カバーの中央に向けて凸となる第１突出部（４２ｂ）および第２突出部（４２ａ）が設けられており、上記筐体における上記カバーの背面と対向する面（取付面４０ａ）には、上記カバーをスライドさせる前の状態において上記第１突出部が引っ掛かり、上記カバーをスライドさせた後の状態において上記第２突出部が引っ掛かる被係止部（４０ｂ）が設けられていてもよい。
【００７５】
例えば、カバーをスライドさせようとして該カバーを持ち上げるような大きな力を作用させた場合、あるいはカバーのスライド後にさらにスライドさせようとして上記大きな力を作用させた場合、これらの力によって弾性体が筐体の外部に向けて浮き上がるような塑性変形を起こしてしまう。その点上記構成によれば、カバーをスライドさせる前の状態においては第１突出部が被係止部に引っ掛かり、カバーをスライドさせた後の状態においては第２突出部が被係止部に引っ掛かる。
【００７６】
したがって、例えば、カバーをスライドさせようとして上記大きな力を作用させた場合でも、第１突出部が被係止部に引っ掛かることからカバーは持ち上がらず、上記塑性変形を回避することができる。また例えば、カバーのスライド後にさらにスライドさせようとして上記大きな力を作用させた場合でも、第２突出部が被係止部に引っ掛かることからカバーは持ち上がらず、上記塑性変形を回避することができる。それゆえ、弾性体の塑性変形によってカバーが元の位置（カバーがスライドする前の位置）に戻らない事態を回避することができる。
【００７７】
本発明の態様５に係る電子機器（スマートフォン１００、２００、３００、４００）は、上記態様１から４のいずれかに係る筐体（１、２０、４０）を備えている。上記構成によれば、カバーをスライドさせるための構造が簡易で、部品点数が少ない電子機器を実現することができる。
【００７８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７９】
１、２０、４０                  筐体
２、４２                        カバー
３                              レールユニット（取付部）
４、４ａ                        弾性変形部（弾性体）
５、５ｂ                        溝
２０ａ、２０ｂ                  保護部材
４０ａ                          取付面（筐体におけるカバーの背面と対向する面）
４０ｂ                          被係止部
４２ａ                          第２突出部
４２ｂ                          第１突出部
４２ｃ                          背面（カバーの背面）
１００、２００、３００、４００  スマートフォン（電子機器）
【図１】
2018148139.tif 000003
【図２】
2018148139.tif 000004
【図３】
2018148139.tif 000005
【図４】
2018148139.tif 000006
【図５】
2018148139.tif 000007
【図６】
2018148139.tif 000008
【図７】
2018148139.tif 000009
【図８】
2018148139.tif 000010
【図９】
2018148139.tif 000011
【図１０】
2018148139.tif 000012
【図１１】
2018148139.tif 000013